(57)【特許請求の範囲】
【請求項１】
表示領域を含む表示パネルと、
前記表示領域にゲート信号を印加するゲート駆動部と、
前記表示領域にデータ電圧を印加するデータ駆動部と、
直流のゲートオフ電圧を前記ゲート駆動部に伝達するゲートオフ電圧線と、
前記データ電圧を生成するための画像信号をＬＣＤＳ（ｌｏｗ ｃｕｒｒｅｎｔ ｄｉｆｆｅｒｅｎｔｉａｌ ｓｉｇｎａｌ）方式で前記データ駆動部に供給するデータ制御部と、
前記ゲートオフ電圧線に隣接して配置されて前記データ制御部から供給される前記画像信号を前記データ駆動部に伝達するデータ信号線と、
前記ゲートオフ電圧線と前記データ信号線との間に配列された孤立パターンとを含むことを特徴とするディスプレイ装置。
【請求項２】
前記孤立パターンには一定レベルの直流電圧が印加されることを特徴とする請求項１に記載のディスプレイ装置。
【請求項３】
前記孤立パターンは、接地端に接続されることを特徴とする請求項１に記載のディスプレイ装置。
【請求項４】
前記表示パネルは長方形であり、前記データ駆動部は、前記表示パネルの長辺方向に沿って前記表示パネル上に配列された複数のデータ駆動チップを含むことを特徴とする請求項１に記載のディスプレイ装置。
【請求項５】
前記表示パネルに形成されるゲート線をさらに含み、
前記ゲート駆動部は、前記ゲート線に接続されるシフトレジスタを含むことを特徴とする請求項１に記載のディスプレイ装置。
【請求項６】
複数の画素が形成されている長方形の液晶パネルと、
前記液晶パネルの短辺方向に沿って前記液晶パネル上に配列され、前記画素にゲート信号を印加するゲート駆動部と、
前記液晶パネルの長辺方向に沿って前記液晶パネルの上に配列され、前記画素にデータ電圧を印加するデータ駆動部と、
前記ゲート駆動部及び前記データ駆動部に前記ゲート信号及び前記データ電圧を生成するための画像信号を出力するための印刷回路基板と、
前記印刷回路基板と前記液晶パネルとを連結するフレキシブル回路基板と、
前記印刷回路基板及び前記フレキシブル回路基板を介して前記ゲート駆動部に接続されて直流のゲートオフ電圧を前記ゲート駆動部に伝達するゲートオフ電圧線と、
前記データ電圧を生成するための画像信号をＬＣＤＳ（ｌｏｗ ｃｕｒｒｅｎｔ ｄｉｆｆｅｒｅｎｔｉａｌ ｓｉｇｎａｌ）方式で前記データ駆動部に供給するデータ制御部と、
前記印刷回路基板及び前記フレキシブル回路基板を介して前記データ駆動部に接続され、前記ゲートオフ電圧線に隣接して配置されて前記データ制御部から供給される前記画像信号を前記データ駆動部に伝達するデータ信号線と、
前記印刷回路基板及び前記フレキシブル回路基板を介して前記ゲートオフ電圧線と前記データ信号線との間に配列された孤立パターンとを含むことを特徴とする液晶パネルユニット。
【請求項７】
前記孤立パターンには一定レベルの直流電圧が印加されることを特徴とする請求項６に記載の液晶パネルユニット。
【請求項８】
前記孤立パターンは接地端に接続されることを特徴とする請求項６に記載の液晶パネルユニット。
【請求項９】
ゲート線及びデータ線を含む画素を形成する段階と、
前記画素にゲート信号を印加するゲート駆動部及びデータ電圧を印加するデータ駆動部を設ける段階と、
前記ゲート駆動部に直流のゲートオフ電圧を印加するためのゲートオフ電圧線を形成する段階と、
前記データ駆動部に前記データ電圧を生成するための画像信号をＬＣＤＳ（ｌｏｗ ｃｕｒｒｅｎｔ ｄｉｆｆｅｒｅｎｔｉａｌ ｓｉｇｎａｌ）方式で供給するデータ制御部を形成する段階と、
前記ゲートオフ電圧線に隣接して配置されて前記データ制御部から供給される前記画像信号を前記データ駆動部に伝達するデータ信号線を形成する段階と、
前記ゲートオフ電圧線と前記データ信号線との間に孤立パターンを形成する段階を含むことを特徴とするディスプレイ装置の製造方法。
【請求項１０】
前記ディスプレイ装置は、前記孤立パターンに一定レベルの直流電圧が印加されることを特徴とする請求項９に記載のディスプレイ装置の製造方法。
【請求項１１】
前記ディスプレイ装置は、前記孤立パターンが接地端に接続されることを特徴とする請求項９に記載のディスプレイ装置の製造方法。
【発明の詳細な説明】
【技術分野】
【０００１】
本発明は液晶パネルユニット、ディスプレイ装置及びその製造方法に関するものである。
【背景技術】
【０００２】
液晶表示装置（ＬＣＤ;Ｌｉｑｕｉｄ  Ｃｒｙｓｔａｌ  Ｄｉｓｐｌａｙ）や有機発光ダイオード（ＯＬＥＤ；Ｏｒｇａｎｉｃ  Ｌｉｇｈｔ  Ｅｍｉｔｔｉｎｇ  Ｄｉｏｄｅ）表示装置等において、各画素を独立的に駆動するための回路基板として表示パネルを使用している。表示パネルは、走査信号を伝達するゲート線と、データ信号を伝達するデータ線とを有する。そして、このパネルにはゲート線及びデータ線に接続される薄膜トランジスタ、薄膜トランジスタに接続される画素電極等を含む。
【０００３】
また、このような表示パネルは、薄膜トランジスタをオン／オフさせるゲート駆動部と、データ電圧を薄膜トランジスタに印加するデータ駆動部、及びデータ電圧のための画像信号をデータ駆動部に提供し、ゲート駆動部とデータ駆動部に制御信号を印加する信号制御部をさらに含む。
【発明の開示】
【発明が解決しようとする課題】
【０００４】
信号制御部からデータ駆動部に画像信号が転送される方式としては、ＬＶＤＳ（ｌｏｗ  ｖｏｌｔａｇｅ  ｄｉｆｆｅｒｅｎｔｉａｌ  ｓｉｇｎａｌ）、ｍｉｎｉ-ＬＶＤＳ、ＲＶＤＳ（ｒｅｄｕｃｅｄ  ｖｏｌｔａｇｅ  ｄｉｆｆｅｒｅｎｔｉａｌ  ｓｉｇｎａｌ）、ＬＣＤＳ（ｌｏｗ  ｃｕｒｒｅｎｔ  ｄｉｆｆｅｒｅｎｔｉａｌ  ｓｉｇｎａｌ）等があるが、ＬＣＤＳ方式の場合、極めて低いレベルの電流を用いてデータを転送する。数ｍＡの電流が流れるデータ配線の周囲に、高電圧が印加される信号配線が配列される場合、高電圧により発生した電磁場によって電流の流れが変動し、これは画像不良を生じさせる。
【課題を解決するための手段】
【０００５】
そこで、上記の課題を解決するために本発明は、表示領域を含む表示パネルと、表示領域にゲート信号を印加するゲート駆動部と、表示領域にデータ電圧を印加するデータ駆動部と、垂直同期開始信号をゲート駆動部に伝達する垂直同期信号線と、データ電圧を生成するための画像信号をデータ駆動部に伝達する少なくとも１つのデータ信号線と、垂直同期信号線とデータ信号線との間に配列された孤立パターンとを含む。
【０００６】
垂直同期開始信号による電磁場を遮断するために孤立パターンには一定レベルの直流電圧が印加されることが好ましい。このとき、孤立パターンは接地端に接続されてもよい。
【０００７】
表示装置は、画像信号をデータ駆動部に供給するデータ制御部をさらに含み、データ制御部は、ＬＣＤＳ（ｌｏｗ  ｃｕｒｒｅｎｔ  ｄｉｆｆｅｒｅｎｔｉａｌ  ｓｉｇｎａｌ）方式で画像信号を転送し得る。ＬＣＤＳ方式でデータを転送する場合、電流レベルが約数ｍＡ程度であるので、外部の電場による影響を大きく受ける。このように、本発明は電場の影響を大きく受けるデータ転送方式のデータ転送環境を改善するためのものである。
【０００８】
垂直同期開始信号の電圧レベルは約−２０〜３０Ｖであってもよい。
【０００９】
表示パネルは長方形の形状を有してもよく、データ駆動部は、表示パネルの長辺方向に沿って表示パネル上に配列された複数のデータ駆動チップを含んでもよい。
【００１０】
表示装置は、表示パネルに形成されるゲート線をさらに含み、ゲート駆動部は、ゲート線に接続されるシフトレジスタを含んでもよい。
【発明の効果】
【００１１】
本発明によれば、垂直同期信号線とデータ信号線との間に生成される電磁場を孤立パターンにより遮断することができる。
【発明を実施するための最良の形態】
【００１２】
以下、添付の図面を参照して本発明の好ましい実施例を詳細に説明する。
【００１３】
添付の図面を用いながら、本発明の実施形態を、本発明が属する技術分野における通常の知識を有する者が容易に実施することができるように詳細に説明する。しかし、本発明は、多様な形態で実現することができ、ここで説明する実施形態に限定されない。なお、説明と関係のない部分は省略し、実施例を説明するための全図において、同一機能を有するものは同一符号を付け、その繰り返しの説明は省略する。
【００１４】
図１は本発明の第１実施例によるディスプレイ装置の平面図であり、図２は図１におけるＩＩ-ＩＩ線に沿った断面図である。ディスプレイ装置は、液晶表示装置やＯＬＥＤ表示装置等により実現されてもよい。
【００１５】
図１及び図２において図示するように、ディスプレイ装置は、表示領域（Ａ）を含む長方形の表示パネル１００、表示パネル１００に接続される印刷回路基板（ＰＣＢ）４００、及び表示パネル１００と印刷回路基板４００とを連結するフレキシブル回路基板（ＦＰＣＢ）５００を含む。印刷回路基板４００には表示パネル１００を駆動するための多様な駆動素子が設けられており、多様な駆動素子は、データ制御部４２０、データ制御部４２０の制御を受けて駆動電源を生成する駆動電源部４１０及び直流電源部４３０等を含む。フレキシブル回路基板５００には印刷回路基板４００から供給される複数の信号を表示パネル１００に伝達するための複数の信号線が形成される。表示パネル１００、印刷回路基板４００及びこれらを連結するフレキシブル回路基板５００を合わせて表示パネルユニットとし、表示パネル１００が液晶層を含む場合、表示パネル１００は液晶パネルとして定義され、表示パネルユニットは液晶パネルユニットとして定義される。液晶パネルユニットの場合、液晶パネルの背面に光源のバックライトユニットが備えられる。表示パネル１００には、ゲート駆動部２００、データ駆動部３００、ゲート駆動部２００に接続される複数のゲート線１１０、データ駆動部３００に接続される複数のデータ線１２０、及び、ゲート線１１０とデータ線１２０との交差領域として定められた領域に複数の画素１３０が形成される。
【００１６】
画素１３０は、図示されていないが薄膜トランジスタ（ＴＦＴ）を含む。ゲート線１１０は行方向に延びて表示領域（Ａ）に延長されており、データ線１２０は、ゲート線１１０に対して実質的に垂直な列方向に延びて表示領域（Ａ）に延長される。また、画素１３０は、薄膜トランジスタに接続される液晶キャパシタ（Ｃｌｃ；ｌｉｑｕｉｄ  ｃｒｙｓｔａｌ  ｃａｐａｃｉｔｏｒ）及び蓄積キャパシタ（Ｃｓｔ；ｓｔｏｒａｇｅ  ｃａｐａｃｉｔｏｒ）を含む。蓄積キャパシタ（Ｃｓｔ）は省略してもよい。さらに、表示パネル１００は、色表示のために、画素１３０に対応する領域に赤色、緑色及び青色のカラーフィルタ（図示せず）を含んでもよい。
【００１７】
ゲート駆動部２００は、スキャン駆動部（ｓｃａｎ  ｄｒｉｖｅｒ）とも言い、ゲートオン電圧（Ｖｏｎ）とゲートオフ電圧（Ｖｏｆｆ）との組み合わせからなるゲート信号をゲート線１１０に印加する。ゲート駆動部２００は、表示パネル１００上に形成されるシフトレジスタにより実現される。シフトレジスタは、各ゲート線１１０に各々接続される複数のステージ２１０で構成される。各ステージ２１０には、駆動電源部４１０から駆動電源が供給される。このとき、ステージ２１０に印加される駆動電圧をそれぞれ異なるものとしてもよい。ゲート駆動部２００は、各ゲート線１１０に順次ゲート信号を伝達し、１つのゲート線１１０に出力されたゲート信号は、前端ステージではリセット信号として、後端ステージではキャリー信号として作用する。
【００１８】
データ駆動部３００は、ソース駆動部（ｓｏｕｒｃｅ  ｄｒｉｖｅｒ）とも言い、データ制御部４２０から出力される画像信号をアナログデータ電圧に変換し、アナログデータ電圧をデータ線１２０を介して表示領域（Ａ）に提供する。データ駆動部３００は、表示パネル１００の長辺方向に沿って配列された複数のデータ駆動チップ３１０で構成される。データ駆動チップ３１０は、表示パネル１００上にＣＯＧ（ｃｈｉｐ‐ｏｎ‐ｇｌａｓｓ）方式を用いて実装される。他の実施例によれば、データ駆動部３００は、表示パネル１００上ではなくフレキシブル回路基板５００上に実装されて、データ線１２０に接続されてもよい。本実施例によれば、データ駆動部３００には、データ制御部４２０からＬＣＤＳ（ｌｏｗ  ｃｕｒｒｅｎｔ  ｄｉｆｆｅｒｅｎｔｉａｌ  ｓｉｇｎａｌ）方式で画像信号が転送される。ＬＣＤＳ方式の場合、極めて少量、例えば、１〜３ｍＡ程度の電流によって信号を伝達する。
【００１９】
駆動電源部４１０は、ゲート駆動部２００へゲートオフ電圧（Ｖｏｆｆ）及び各種制御信号を出力する。駆動電源部４１０はまた、ゲートオン電圧（Ｖｏｎ）を生成して、ゲート駆動部２００に出力してもよい。駆動電源部４１０は、説明の便宜上、データ制御部４２０と別のブロックで図示しているが、物理的に駆動電源部４１０とデータ制御部４２０とが分離されているわけではない。駆動電源部４１０は、データ制御部４２０に併合されて構成されてもよく、ゲートオフ電圧（Ｖｏｆｆ）を生成するブロックまたは垂直同期開始信号（ＳＴＶ）を出力するブロックだけを別途設けることも可能である。駆動電源部４１０から出力される信号をゲート駆動部２００に伝達するために、駆動電源部４１０とゲート駆動部２００との間には複数の信号線（４１１〜４１４）が配列されている。図１には示されていないが、ゲートオン電圧（Ｖｏｎ）を伝達するための別の信号線が、駆動電源部４１０とゲート駆動部２００との間にフレキシブル回路基板（ＦＰＣＢ）５００を介して、形成されてもよい。
【００２０】
複数の信号線（４１１〜４１４）は、印刷回路基板４００及びフレキシブル回路基板５００を介して表示パネル１００に延長される。複数の信号線（４１１〜４１４）は図２に示されるように、ゲートオフ電圧線４１１、クロック信号（ＣＫＶ）が印加されるクロック信号線４１２、反転クロック信号（ＣＫＶＢ）が印加される反転クロック信号線４１３、及び垂直同期開始信号（ＳＴＶ）が印加される垂直同期信号線４１４で構成される。しかし、図２とは異なり、駆動電源部４１０とゲート駆動部２００との間に、駆動電圧制御信号等を伝達する別の信号線をさらに形成してもよい。
【００２１】
垂直同期信号線４１４に出力される垂直同期開始信号（ＳＴＶ）は、１フレームの開始を知らせる信号である。垂直同期開始信号（ＳＴＶ）は、１つのフレーム間に１度出力され、その振幅は、数〜数十Ｖの電圧レベル、例えば、約０以上５０Ｖ程度の範囲を有する。このとき、垂直同期開始信号（ＳＴＶ）の絶対的な電圧レベルは、約−２０〜３０Ｖの間の値を有してもよい。表示パネル１００の大きさまたは解像度によって、垂直同期開始信号（ＳＴＶ）の電圧レベルは変更されてもよい。信号線（４１１〜４１４）は、互いに平行に配列されており、後述するデータ信号線（４２１、４２２）に平行である。
【００２２】
データ制御部４２０は、信号制御部と呼ばれる制御ブロックである。データ制御部４２０は、各種制御信号をデータ駆動部３００に出力し、外部から入力された画像信号を処理してデータ駆動部３００に出力する。また、データ制御部４２０は、データ駆動部３００に、画像信号に対応するデータ電圧をデータ線１２０に印加するよう指示するロード信号（ＬＯＡＤ；ｌｏａｄ  ｓｉｇｎａｌまたはＴＰ）、データ電圧の極性を反転する反転制御信号（ＲＶＳ）、及び水平クロック信号等をさらに出力する。データ制御部４２０は、負極性データ信号線４２１及び正極性データ信号線４２２を通じて、データ駆動チップ３１０に画像信号を印加する。このとき、データ制御部４２０が最初のデータ駆動チップ３１０に画像信号を印加すると、画像信号が順次、該当するデータ駆動チップ３１０にシフトしていき、すべてのデータ駆動チップ３１０に、該当する画像信号が入力される。
【００２３】
画像信号は、共通電圧に対して正極性または負極性を有して振動する。負極性データ信号線４２１には共通電圧に対して低いレベルを有する画像信号（ＤＳ．Ｎ）が印加され、正極性データ信号線４２２には共通電圧に対して高いレベルを有する画像信号（ＤＳ．Ｐ）が印加される。上記のように、ＬＣＤＳ方式でデータが転送されるため、データ信号線（４２１、４２２）には微細な電流が流れ、このような電流は外部の電磁場による影響を受け易い。
【００２４】
孤立パターン（ＩＰ；ｉｓｏｌａｔｉｏｎ  ｐａｔｔｅｒｎ）４３１は、直流電源部４３０に接続されており、垂直同期信号線４１４と負極性データ信号線４２１との間に、２つの信号線（４１４、４２１）と平行に形成される。孤立パターン４３１は、垂直同期信号線４１４に印加される垂直同期開始信号（ＳＴＶ）によって発生する電磁場を遮蔽し、垂直同期開始信号（ＳＴＶ）による干渉現象を防止する。上記のように、垂直同期開始信号（ＳＴＶ）の振幅は数〜数十Ｖと極めて高く、このような振幅によって垂直同期信号線４１４付近に電磁場が生成され、このような電磁場の影響を受けた電流は、表示パネル１００上に画像不良を引き起こす。孤立パターン４３１は、垂直同期信号線４１４の影響からデータ信号線（４２１、４２２）を孤立させて、発生した電磁場を相殺する役割をする。そのためには、孤立パターン４３１には直流電源部４３０から出力される一定レベルの直流電圧が印加される。なぜなら、孤立パターン４３１に電圧が印加されず、孤立パターン４３１がフローティング状態を維持する場合には、垂直同期開始信号（ＳＴＶ）による電磁場が孤立パターン４３１に再び誘導され、孤立パターン４３１に誘導された電磁場によってデータ信号線（４２１、４２２）に影響を与え得る。このため、孤立パターン４３１には一定レベルの電圧が印加されることが好ましい。
【００２５】
孤立パターン４３１は、垂直同期信号線４１４と負極性データ信号線４２１との間に限定的に配列されるだけではなく、ＬＣＤＳ方式で画像信号を転送するデータ信号線（４２１、４２２）と、データ信号線（４２１、４２２）に隣接して配列された少なくとも一つの信号線との間に形成されてもよい。もし、ゲートオフ電圧線４１１がデータ信号線（４２１、４２２）と隣接するように配列された場合には、孤立パターン４３１は、ゲートオフ電圧線４１１とデータ信号線（４２１、４２２）との間に配列されてもよい。なぜなら、ゲートオフ電圧（Ｖｏｆｆ）がパルスではなく一定のレベルを有しても、ゲートオフ電圧（Ｖｏｆｆ）から発生し得るリップル成分によって電磁場が形成され得るためである。
【００２６】
孤立パターン４３１は、他の信号線と同じ層に同じ材質の信号線として形成してもよく、データ信号線（４２１、４２２）と垂直同期信号線４１４とが平行に延びた部分まで十分に形成する必要がある。
【００２７】
このような孤立パターン４３１は、ゲート駆動部２００とデータ駆動部３００が隣接して形成される部分、即ち、ゲート駆動部２００に出力される信号とデータ駆動部３００に出力される信号とが互いに干渉を起こし得る部分に形成される。
【００２８】
図３を参照して本発明の第２実施例を説明する。図３は本発明の第２実施例によるディスプレイ装置の一部分を表す平面図である。
【００２９】
図３に図示するように、本実施例によれば、孤立パターン４３１ａは、直流電源部４３０に接続されずに接地端（ｇｒｏｕｎｄ）に接続されており、これ以外の構造については、図１に示したディスプレイ装置の構造と同様である。よって、図１と同じ部分には同じ図面符号を付し、詳細な説明は省略する。
【００３０】
孤立パターン４３１ａに印加される直流電源のレベルは接地レベルであることを特徴とする。孤立パターン４３１ａに接地レベルの固定的な電圧が維持され、これは垂直同期開始信号（ＳＴＶ）のパルスによる電磁場を遮蔽する役割をする。
【００３１】
次に、図４を参照して本発明の実施例によるディスプレイ装置の製造方法を説明する。図４は本発明によるディスプレイ装置の製造方法を説明するためのフローチャートである。
【００３２】
図４に図示するように、まず、ゲート線１１０及びデータ線１２０を含む画素１３０を表示パネル１００に形成する（Ｓ１０）。ゲート線１１０及びデータ線１２０は、絶縁基板に金属配線を配設する公知技術により形成することができる。
【００３３】
その後、ゲート線１１０に接続されるシフトレジスタ、つまり、ゲート駆動部２００を形成し、データ線１２０に接続されるデータ駆動部３００を形成する（Ｓ２０）。本発明の実施例においては、ゲート駆動部２００及びデータ駆動部３００はいずれも表示パネル１００に実装または形成される。
【００３４】
表示パネル１００に各種信号を印加するための印刷回路基板（４００または４００ａ）は、フレキシブル回路基板５００を介して表示パネル１００フレキシブルに連結される。
【００３５】
垂直同期開始信号を印加するための垂直同期信号線４１４を、印刷回路基板（４００または４００ａ）及びフレキシブル回路基板５００を介してゲート駆動部２００に連結し（Ｓ３０）、データ信号を印加するためのデータ信号線（４２１、４２２）を、印刷回路基板（４００または４００ａ）及びフレキシブル回路基板５００を介してデータ駆動部３００に連結する（Ｓ４０）。
【００３６】
その後、垂直同期開始信号（ＳＴＶ）による電場を遮蔽するための孤立パターン（４３１または４３１ａ）を、垂直同期信号線４１４とデータ信号線（４２１、４２２）との間に形成する（Ｓ５０）。孤立パターン（４３１または４３１ａ）もまた、印刷回路基板（４００または４００ａ）及びフレキシブル回路基板５００を介して他の信号線と同質の金属配線で形成される。
【００３７】
最後に、データ信号線（４２１、４２２）に画像信号を印加し、垂直同期信号線４１４に垂直同期開始信号（ＳＴＶ）を印加し、孤立パターン（４３１または４３１ａ）には一定レベルの直流電圧を印加する（Ｓ６０）。直流電圧のレベルは、画像信号または垂直同期開始信号（ＳＴＶ）のレベルにより調節され、接地レベルを有してもよい。
【００３８】
上記のように、本発明によれば、電磁場を遮断することのできる液晶パネルユニット、ディスプレイ装置及びその製造方法を提供することができる。
【００３９】
また、本発明によれば、画像不良を減少させることのできる液晶パネルユニット、ディスプレイ装置及びその製造方法を提供することができる。
【００４０】
以上、本発明の好適な実施形態について詳細に説明したが、本発明の権利範囲はこれに限定されず、特許請求の範囲で定義している本発明の基本概念を利用した当業者の多様な変形及び改良形態も本発明の権利範囲に属するものである。
【図面の簡単な説明】
【００４１】
【図１】本発明の第１実施例によるディスプレイ装置の平面図である。
【図２】図１におけるＩＩ-ＩＩ線に沿った断面図である。
【図３】本発明の第２実施例によるディスプレイ装置の一部分を表す平面図である。
【図４】本発明によるディスプレイ装置の製造方法を説明するためのフローチャートである。
【符号の説明】
【００４２】
１００…表示パネル
４００、４００ａ…印刷回路基板
５００…フレキシブル回路基板
４２０…データ制御部
４１０…駆動電源部
４３０…直流電源部
２００…ゲート駆動部
３００…データ駆動部
１１０…ゲート線
１２０…データ線
４１１…ゲートオフ電圧線
４１２…クロック信号線
４１３…反転クロック信号線
４１４…垂直同期信号線
４２１、４２２…データ信号線
４３１、４３１ａ…孤立パターン
【図１】
0005301241.tif 000002
【図２】
0005301241.tif 000003
【図３】
0005301241.tif 000004
【図４】
0005301241.tif 000005